(57)【要約】【課題】ユーザの多種多様な機能要求に対して低コストで達成できるようにする。【解決手段】第１の画像処理ブロック１６は、読取り装置１から画像データを受け取ると各種画像処理を行って、ＣＰＵ３の指示により一旦メモリ４に画像データを送出する。第２の画像処理ブロック１７は、メモリ４から画像データを随時読み出して各種画像処理を行い、ＣＰＵ３を介してメモリ４に出力する。このように、読取り装置１で読み取った画像データに対して、画像データ処理装置２内の第１の画像処理ブロック１６と第２の画像処理ブロック１７とで処理する間に、メモリ４に一旦蓄積させる。【選択図】        図２
2009225269.tif 000002
【特許請求の範囲】
【請求項１】
原稿を読み取り電子化した画像データを得る画像読取り手段と、
画像データを記憶する記憶手段と、
前記画像読取り手段、あるいは前記記憶手段からの画像データを処理する画像データ処理手段と、
前記原稿がカラーかモノクロかを自動判定するように指定する自動カラー判定指定手段と、
前記各手段を制御すると共に、前記各手段間の接続制御を行う制御手段と、
を備え、
前記画像データ処理手段は、前記画像読取り手段から受け取った画像データを処理する第１の画像処理ブロックと、前記記憶手段あるいは前記第１の画像処理ブロックから受け取った画像データを処理する第２の画像処理ブロックとを有し、
前記制御手段は、前記画像読取り手段から受け取った画像データを前記第１の画像処理ブロックおよび前記第２の画像処理ブロックの両方で処理を行って前記記憶手段に送出するルートと、前記第１の画像処理ブロックで処理した画像データを前記記憶手段に記憶させ、該記憶手段から読み出した画像データを前記第２の画像処理ブロックで処理して前記憶手段に送出するルートとを選択可能とし、前記第１の画像処理ブロックの処理結果に応じて前記第２の画像処理ブロックで行う処理を切り替えたり、前記第２の画像処理ブロックで行う処理内容に応じて前記第２の画像処理ブロックへの入力画像を前記第１の画像処理ブロックか前記記憶手段からかを切り替えたりすることを特徴とする画像処理装置。
【請求項２】
前記第１の画像処理ブロックは、前記原稿がカラーかモノクロかを判定するカラー判定処理手段を有し、
前記第２の画像処理ブロックは、色補正を行う色補正処理手段を有し、
前記自動カラー判定指定手段の自動カラー判定機能が指定されると、前記第１の画像処理ブロックでのみ処理された画像データが前記記憶手段に送出されると共に、前記第２の画像処理ブロックの色補正処理手段が前記第１の画像処理ブロックで判定されたカラー判定結果に基づいて、前記記憶手段から受け取った画像データに対する処理を切り替えることを特徴とする請求項１に記載の画像処理装置。
【請求項３】
前記第１の画像処理ブロックは、前記原稿がカラーかモノクロかを判定するカラー判定処理手段を有し、
前記第２の画像処理ブロックは、変倍処理を行う変倍処理手段を有し、
前記自動カラー判定指定手段の自動カラー判定機能が指定されると、前記第１の画像処理ブロックでのみ処理された画像データが前記記憶手段に送出されると共に、前記第２の画像処理ブロックの変倍処理手段が前記第１の画像処理ブロックで判定されたカラー判定結果に基づいて、前記記憶手段から受け取った画像データに対する処理を切り替えることを特徴とする請求項１に記載の画像処理装置。
【請求項４】
前記第１の画像処理ブロックは、前記原稿がカラーかモノクロかを判定するカラー判定処理手段を有し、
前記第２の画像処理ブロックは、原稿内の濃度範囲を自動で検出して再現する濃度範囲を調整する自動濃度調整処理手段を有し、
前記自動カラー判定指定手段の自動カラー判定機能が指定されると、前記第１の画像処理ブロックでのみ処理された画像データが前記記憶手段に送出されると共に、前記第２の画像処理ブロックの自動濃度調整処理手段が前記第１の画像処理ブロックで判定されたカラー判定結果に基づいて、前記記憶手段から受け取った画像データに対する処理を切り替えることを特徴とする請求項１に記載の画像処理装置。
【請求項５】
前記第１の画像処理ブロックは、前記原稿がカラーかモノクロかを判定するカラー判定処理手段を有し、
前記第２の画像処理ブロックは、画質を調整するフィルタ処理手段を有し、
前記自動カラー判定指定手段の自動カラー判定機能が指定されると、前記第１の画像処理ブロックでのみ処理された画像データが前記記憶手段に送出されると共に、前記第２の画像処理ブロックのフィルタ処理手段が前記第１の画像処理ブロックで判定されたカラー判定結果に基づいて、前記記憶手段から受け取った画像データに対する処理を切り替えることを特徴とする請求項１に記載の画像処理装置。
【請求項６】
前記第１の画像処理ブロックは、前記原稿がカラーかモノクロかを判定するカラー判定処理手段を有し、
前記第２の画像処理ブロックは、階調処理を施す階調処理手段を有し、
前記自動カラー判定指定手段の自動カラー判定機能が指定されると、前記第１の画像処理ブロックでのみ処理された画像データが前記記憶手段に送出されると共に、前記第２の画像処理ブロックの階調処理手段が前記第１の画像処理ブロックで判定されたカラー判定結果に基づいて、前記記憶手段から受け取った画像データに対する処理を切り替えることを特徴とする請求項１に記載の画像処理装置。
【請求項７】
前記第１の画像処理ブロックで判定されたカラー判定結果に基づいて、画質モードが選択可能な画質モード選択手段をさらに備え、
前記自動カラー判定指定手段の自動カラー判定機能が指定されると、前記第１の画像処理ブロックでのみ処理された画像データが前記記憶手段に送出されると共に、前記第２の画像処理ブロックにおける各処理手段の処理を切り替えることを特徴とする請求項１〜６のいずれか一つに記載の画像処理装置。
【請求項８】
原稿を読み取り電子化した画像データを得る画像読取りステップと、
少なくとも前記画像読取りステップで読み取った画像データを処理する画像データ処理ステップと、
前記画像データ処理ステップで処理された画像データを記憶する記憶ステップと、
前記原稿がカラーかモノクロかを自動判定するように指定する自動カラー判定指定ステップと、
前記各ステップを制御する制御ステップと、
を含み、
前記画像データ処理ステップは、前記画像読取りステップで読み取られた画像データを処理する第１の処理ステップと、前記記憶ステップあるいは前記第１の処理ステップで処理された画像データを処理する第２の処理ステップとを含み、
前記制御ステップは、前記画像読取りステップで読み取った画像データを前記第１の処理ステップおよび前記第２の処理ステップの両方で処理を行って前記記憶ステップで記憶する手順と、前記第１の処理ステップで処理した画像データを前記記憶ステップで記憶させ、該記憶させた画像データを前記第２の処理ステップで処理して再度前記憶ステップで記憶させる手順とを選択可能にし、前記第１の処理ステップの処理結果に応じて前記第２の処理ステップで行う処理を切り替えたり、前記第２の処理ステップで行う処理内容に応じて前記第２の処理ステップで処理する画像データを前記第１の処理ステップによるものか前記記憶ステップによるものかを切り替えたりすることを特徴とする画像処理方法。
【請求項９】
請求項８に記載の画像処理方法の各ステップをコンピュータに実行させることを特徴とするコンピュータが実行するためのプログラム。
【発明の詳細な説明】
【技術分野】
【０００１】
この発明は、画像処理装置、画像処理方法、プログラムに関し、画像読取り手段で読み取った画像データを画像データ処理手段による複数の画像処理ブロックと記憶手段との間で処理を行う画像処理装置、画像処理方法、およびその方法をコンピュータに実行させるプログラムに関する。
【背景技術】
【０００２】
近年、ＣＣＤ光電変換素子からなるラインセンサを用いた読み取り装置や、レーザー照射によるトナー書き込み装置の発展により、アナログ複写機からデジタル化された画像データにてコピーを作成するデジタル複写機が登場している。このデジタル複写機となってからは、デジタル画像データを扱う他の装置との親和性が高まり、複写機としての機能だけでなく、ファクシミリ機能、プリンタ機能、スキャナ機能などいろいろな機能と複合することにより、デジタル複合機（以下、ＭＦＰともいう）と呼ばれるようになってきている。
【０００３】
また、ＨＤＤドライブ等メモリの大容量化、低コスト化、ネットワーク等通信技術の高速化、ＣＰＵの処理能力の向上、デジタル画像データに関連する技術（圧縮技術等）等々、ＭＦＰに関連する技術の進化に伴い、ＭＦＰに搭載される機能も多種・多様化してきている。さらに、ＭＦＰの使われ方も多種・多様化してきている。例えば、小型ＭＦＰは、パーソナルコンピュータ（ＰＣ）の横にペアで設置され、操作者が手軽に複写機、ファクシミリ、プリンタ、スキャナの機能を使用することができる。また、中型のＭＦＰは、部署や課単位の複数名で共有され、ある程度の生産性やソート・パンチ・ステープル等の機能が使用できる。さらに、大型のＭＦＰは、企業の中で複写関連業務を集中して行う部署、もしくは複写関連業務そのものを生業とする会社では、高生産性・高品位で多機能ものが使用されている。
【０００４】
このように、小型〜大型まで多様化してきているＭＦＰであるが、各クラスにわたって共有できる機能も存在し、クラスごとに固有となる要求の強い機能も存在する。例えば、大型ＭＦＰでは、パンチ・ステープル・紙折り等、プロット後の紙に対する後加工や、複写業務と同時に電子ファイリング化すること等が求められ、小型ＭＦＰではインターネットＦＡＸやＰＣ−ＦＡＸ等の充実、あるいはパーソナルな使用目的として、専用紙に対する高品位画像印刷等が求められている。
【０００５】
このように、多種多様化してきているＭＦＰ市場に対して、これまでは各クラスに必要な機能をセットにしたシステムを構築し、提供している。そして、ビジネスにおける情報価値の重要性は既に認知されており、情報を早く、正確かつ確実に伝えるだけでなく、分かりやすく、効果的に伝えることも要求されている。さらに、通信技術の高速化や普及化、メモリの大容量化、低コスト化、小型化、あるいはＰＣの高性能化に伴い、デジタルデータを利用した情報を効率的にあつかう新しい機能が提供されてきている。特に、デジタルデータの一部であるデジタル画像データを扱うＭＦＰには、次々と新機能の提供や機能融合が図られてきている。
【０００６】
例えば、特許文献１では、より広範囲な変倍率の変倍に対応することによって多様な合成ができ、しかも、メモリの記憶容量による読み込み可能な画像領域の制限を緩和する画像処理装置が提案されている。
【０００７】
また、特許文献２では、画像処理装置がフルサイズのページメモリを搭載していない場合であっても、画像劣化が少なく、高速での画像出力処理を実現することができる画像処理装置が提案されている。
【０００８】
【特許文献１】特開２０００−１６５６５５号公報
【特許文献２】特開平７−７８２４５号公報
【発明の開示】
【発明が解決しようとする課題】
【０００９】
しかしながら、このように機能が多種多様化したＭＦＰ、特に小型ＭＦＰにあっては、ＰＣの横にペアで設置され、操作者が手軽に複写機、ファクシミリ、プリンタ、スキャナの機能を使用できることから、ＳＯＨＯ等の小オフィスだけに留まらず、一般家庭のユーザや中型／大型オフィスなど多岐に渡るユーザに対して普及している。このため、各種ユーザが小型ＭＦＰに求める機能要求が多種多様化し、次々と提供される新機能提供ともに複雑化し、これら全てを包含する機能達成しながら、小型ＭＦＰの最大の特徴である低コスト化を両立させながら行うことは、大変困難になってきつつあるという問題があった。
【００１０】
例えば、上記特許文献１にあっては、メモリの容量によって読み込み可能な画像サイズに制限を受けることを緩和する方法として、使用可能なメモリ容量やメモリを使用する回転処理の有無に応じて変倍処理の方法を切り替えて画像処理を行っているが、画像処理の性質に対応して画像処理に対する制約を緩和するものでないため、常に状況に適した解決手段になっていないという問題があった。
【００１１】
また、上記特許文献２にあっては、フルサイズのページメモリを搭載していなくても、ページメモリと画像登録用メモリの使い方を入力し、処理すべき画像データの容量に応じて自動的に切り替えて画像処理を行っているが、この場合も同様に画像処理の性質に対応して画像処理に関する課題を解決するものでないため、常に状況に適した解決手段になっていないという問題があった。
【００１２】
本発明は、上記に鑑みてなされたものであって、ユーザの多種多様な機能要求に対して低コストで達成可能な画像処理装置、画像処理方法、およびその方法をコンピュータに実行させるプログラムを提供することを目的とする。
【課題を解決するための手段】
【００１３】
上述した課題を解決し、目的を達成するために、請求項１にかかる発明は、原稿を読み取り電子化した画像データを得る画像読取り手段と、画像データを記憶する記憶手段と、前記画像読取り手段、あるいは前記記憶手段からの画像データを処理する画像データ処理手段と、前記原稿がカラーかモノクロかを自動判定するように指定する自動カラー判定指定手段と、前記各手段を制御すると共に、前記各手段間の接続制御を行う制御手段と、を備え、前記画像データ処理手段は、前記画像読取り手段から受け取った画像データを処理する第１の画像処理ブロックと、前記記憶手段あるいは前記第１の画像処理ブロックから受け取った画像データを処理する第２の画像処理ブロックとを有し、前記制御手段は、前記画像読取り手段から受け取った画像データを前記第１の画像処理ブロックおよび前記第２の画像処理ブロックの両方で処理を行って前記記憶手段に送出するルートと、前記第１の画像処理ブロックで処理した画像データを前記記憶手段に記憶させ、該記憶手段から読み出した画像データを前記第２の画像処理ブロックで処理して前記憶手段に送出するルートとを選択可能とし、前記第１の画像処理ブロックの処理結果に応じて前記第２の画像処理ブロックで行う処理を切り替えたり、前記第２の画像処理ブロックで行う処理内容に応じて前記第２の画像処理ブロックへの入力画像を前記第１の画像処理ブロックか前記記憶手段からかを切り替えたりすることを特徴とする。
【００１４】
また、請求項２にかかる発明は、請求項１に記載の画像処理装置において、前記第１の画像処理ブロックは、前記原稿がカラーかモノクロかを判定するカラー判定処理手段を有し、前記第２の画像処理ブロックは、色補正を行う色補正処理手段を有し、前記自動カラー判定指定手段の自動カラー判定機能が指定されると、前記第１の画像処理ブロックでのみ処理された画像データが前記記憶手段に送出されると共に、前記第２の画像処理ブロックの色補正処理手段が前記第１の画像処理ブロックで判定されたカラー判定結果に基づいて、前記記憶手段から受け取った画像データに対する処理を切り替えることを特徴とする。
【００１５】
また、請求項３にかかる発明は、請求項１に記載の画像処理装置において、前記第１の画像処理ブロックは、前記原稿がカラーかモノクロかを判定するカラー判定処理手段を有し、前記第２の画像処理ブロックは、変倍処理を行う変倍処理手段を有し、前記自動カラー判定指定手段の自動カラー判定機能が指定されると、前記第１の画像処理ブロックでのみ処理された画像データが前記記憶手段に送出されると共に、前記第２の画像処理ブロックの変倍処理手段が前記第１の画像処理ブロックで判定されたカラー判定結果に基づいて、前記記憶手段から受け取った画像データに対する処理を切り替えることを特徴とする。
【００１６】
また、請求項４にかかる発明は、請求項１に記載の画像処理装置において、前記第１の画像処理ブロックは、前記原稿がカラーかモノクロかを判定するカラー判定処理手段を有し、前記第２の画像処理ブロックは、原稿内の濃度範囲を自動で検出して再現する濃度範囲を調整する自動濃度調整処理手段を有し、前記自動カラー判定指定手段の自動カラー判定機能が指定されると、前記第１の画像処理ブロックでのみ処理された画像データが前記記憶手段に送出されると共に、前記第２の画像処理ブロックの自動濃度調整処理手段が前記第１の画像処理ブロックで判定されたカラー判定結果に基づいて、前記記憶手段から受け取った画像データに対する処理を切り替えることを特徴とする。
【００１７】
また、請求項５にかかる発明は、請求項１に記載の画像処理装置において、前記第１の画像処理ブロックは、前記原稿がカラーかモノクロかを判定するカラー判定処理手段を有し、前記第２の画像処理ブロックは、画質を調整するフィルタ処理手段を有し、前記自動カラー判定指定手段の自動カラー判定機能が指定されると、前記第１の画像処理ブロックでのみ処理された画像データが前記記憶手段に送出されると共に、前記第２の画像処理ブロックのフィルタ処理手段が前記第１の画像処理ブロックで判定されたカラー判定結果に基づいて、前記記憶手段から受け取った画像データに対する処理を切り替えることを特徴とする。
【００１８】
また、請求項６にかかる発明は、請求項１に記載の画像処理装置において、前記第１の画像処理ブロックは、前記原稿がカラーかモノクロかを判定するカラー判定処理手段を有し、前記第２の画像処理ブロックは、階調処理を施す階調処理手段を有し、前記自動カラー判定指定手段の自動カラー判定機能が指定されると、前記第１の画像処理ブロックでのみ処理された画像データが前記記憶手段に送出されると共に、前記第２の画像処理ブロックの階調処理手段が前記第１の画像処理ブロックで判定されたカラー判定結果に基づいて、前記記憶手段から受け取った画像データに対する処理を切り替えることを特徴とする。
【００１９】
また、請求項７にかかる発明は、請求項１〜６のいずれか一つに記載の画像処理装置において、前記第１の画像処理ブロックで判定されたカラー判定結果に基づいて、画質モードが選択可能な画質モード選択手段をさらに備え、前記自動カラー判定指定手段の自動カラー判定機能が指定されると、前記第１の画像処理ブロックでのみ処理された画像データが前記記憶手段に送出されると共に、前記第２の画像処理ブロックにおける各処理手段の処理を切り替えることを特徴とする。
【００２０】
上述した課題を解決し、目的を達成するために、請求項８にかかる発明は、原稿を読み取り電子化した画像データを得る画像読取りステップと、少なくとも前記画像読取りステップで読み取った画像データを処理する画像データ処理ステップと、前記画像データ処理ステップで処理された画像データを記憶する記憶ステップと、前記原稿がカラーかモノクロかを自動判定するように指定する自動カラー判定指定ステップと、前記各ステップを制御する制御ステップと、を含み、前記画像データ処理ステップは、前記画像読取りステップで読み取られた画像データを処理する第１の処理ステップと、前記記憶ステップあるいは前記第１の処理ステップで処理された画像データを処理する第２の処理ステップとを含み、前記制御ステップは、前記画像読取りステップで読み取った画像データを前記第１の処理ステップおよび前記第２の処理ステップの両方で処理を行って前記記憶ステップで記憶する手順と、前記第１の処理ステップで処理した画像データを前記記憶ステップで記憶させ、該記憶させた画像データを前記第２の処理ステップで処理して再度前記憶ステップで記憶させる手順とを選択可能にし、前記第１の処理ステップの処理結果に応じて前記第２の処理ステップで行う処理を切り替えたり、前記第２の処理ステップで行う処理内容に応じて前記第２の処理ステップで処理する画像データを前記第１の処理ステップによるものか前記記憶ステップによるものかを切り替えたりすることを特徴とする。
【００２１】
上述した課題を解決し、目的を達成するために、請求項９にかかる発明は、請求項８に記載の画像処理方法の各ステップをコンピュータに実行させることを特徴とするコンピュータが実行するためのプログラムである。
【発明の効果】
【００２２】
本発明によれば、画像読取り手段により読み取った画像データと、記憶手段が記憶する画像データとを、画像データ処理手段によって画像処理を行い、自動カラー判定指定手段により読み取り原稿がカラーかモノクロかを自動判定するよう指定可能とし、制御手段により各手段を制御と各手段間の接続制御を行う。画像データ処理手段は、画像読取り手段から受け取った画像データを処理する第１の画像処理ブロックと、記憶手段あるいは第１の画像処理ブロックから受け取った画像データを処理する第２の画像処理ブロックとを備えている。制御手段は、画像読取り手段から受け取った画像データを第１の画像処理ブロックおよび第２の画像処理ブロックの両方で処理を行って記憶手段に送出するルートと、第１の画像処理ブロックで処理した画像データを記憶手段に一旦記憶させ、記憶手段から読み出した画像データを第２の画像処理ブロックで処理して再び憶手段に送出するルートとを選択可能とし、第１の画像処理ブロックの処理結果に応じて第２の画像処理ブロックで行う処理を切り替えたり、第２の画像処理ブロックで行う処理内容に応じて第２の画像処理ブロックへ入力する画像を第１の画像処理ブロックからの画像とするか、あるいは記憶手段からの画像とするかを切り替えたりする。このように、構築する画像処理装置の要件（画像処理の種類、読取り装置の速度、メモリ容量等）に応じて画像処理のルートや記憶手段との接続パターンを柔軟に切り替えることができるため、ユーザの多種多様な機能要求に対して低コストで達成することができる。
【発明を実施するための最良の形態】
【００２３】
以下に添付図面を参照して、この発明にかかる画像処理装置、画像処理方法、およびその方法をコンピュータに実行させるプログラムの最良な実施の形態を詳細に説明する。
【００２４】
（第１の実施の形態）
本発明の第１の実施の形態を図１〜図４に基づいて説明する。第１の実施の形態は、画像処理装置として、複写機能、ファクシミリ（ＦＡＸ）機能、プリンタ機能、および入力画像（読み取り原稿画像やプリンタ或いはＦＡＸ機能により入力された画像）を配信する機能、を複合したいわゆる複合機であるデジタルカラー複合機（ＭＦＰ：Ｍｕｌｔｉ  Ｆｕｎｃｔｉｏｎ  Ｐｅｒｉｐｈｅｒａｌ）を適用した例を示す。
【００２５】
図１および図２は、第１の実施の形態にかかるデジタルカラー複合機のシステム構成を示すブロック図であり、図３は、図１および図２の第１の画像処理ブロックの一構成例を示すブロック図であり、図４は、図１および図２の第２の画像処理ブロックの一構成例を示すブロック図である。図１および図２に示すデジタルカラー複合機２０は、画像読取り手段としての読取り装置１、画像データ処理装置２、第１の画像処理ブロック１６、第２の画像処理ブロック１７、制御手段としてのＣＰＵ（Central Processing Unit）３、記憶手段としてのメモリ４、書込みＩ／Ｆ装置５、書込み装置６、自動カラー判定指定手段、および画質モード選択手段としての操作表示装置７、インタフェース装置である回線Ｉ／Ｆ装置８、外部インタフェース装置である外部Ｉ／Ｆ装置９、Ｓ．Ｂ．（South Bridge）１０、ＲＯＭ（Read Only Memory）１１、ＳＤカード１５などが挿入可能なスロットなどを備えている。また、デジタルカラー複合機２０と接続される外部機器としては、電話回線を介して接続されたファクシミリ装置（ＦＡＸ）１２、ネットワークを介して接続されたパーソナルコンピュータ（ＰＣ）１３やデジタルカラー複合機（ＭＦＰ）１４などがある。
【００２６】
読取装置１は、ＣＣＤ光電変換素子からなるラインセンサとＡ／Ｄコンバータとそれらの駆動回路を具備し、セットされた原稿をスキャンすることで得る原稿の濃淡情報から、ＲＧＢ各８ビットのデジタル画像データを生成し出力する。 
【００２７】
画像データ処理装置２は、読取り装置１から出力されたデジタル画像データに対して各種画像処理を施すものである。本発明の特徴的は、この画像データ処理装置２が第１の画像処理ブロック１６と第２の画像処理ブロック１７とに分けられ、ＣＰＵ３によって第１の画像処理ブロック１６と第２の画像処理ブロック１７の接続状態を切り替えることによって、処理ルートを様々に変更できる点にある。画像データ処理装置２の詳細説明については後述する。
【００２８】
ＣＰＵ３は、デジタルカラー複合機２０全体の制御を司るマイクロプロセッサである。また、ここでは、近年普及してきたＣＰＵコア単体に＋αの機能を追加したインテグレーテッドＣＰＵを使用している。インテグレーテッドＣＰＵとしては、例えば、ＰＭＣ社のＲＭ１１００を採用している。このＲＭ１１００は、クロスバースイッチを使って複数のＰＣＩ−ＥｘｐｒｅｓｓバスやＤＩＭＭメモリバスを接続するバス制御機能がインテグレート（＋α）されている。
【００２９】
メモリ４は、ＣＰＵ３に接続された各装置間でデータをやり取りする際の処理上の速度差を吸収するため、一時的なデータ記憶を行う揮発性メモリである。また、メモリ４は、ＣＰＵ３がデジタルカラー複合機２０の制御を行う際に、プログラムや中間処理データを一時的に記憶する。ＣＰＵ３は、高速処理が求められるため、通常起動時にＲＯＭ１１に記憶されたブートプログラムにてシステムを起動し、その後は高速にアクセス可能なメモリ４に展開されたプログラムによって処理を行う。また、ＣＰＵ３は、メモリ４内に記憶された画像データを自由に読み書きすることができる。本実施の形態では、規格化されパーソナルコンピュータに普及しているＤＩＭＭを使用している。
【００３０】
書込みＩ／Ｆ装置５は、ＣＰＵ（ＰＣＩ−Ｅｘｐｒｅｓｓのバス制御機能を含む）３経由で送られてくるＣＭＹＫ（シアン、マゼンタ、イエロー、ブラック）の画像データを受け取ると、プロッタ装置である書込み装置６の専用Ｉ／Ｆに出力するバスブリッジ処理を行う。
【００３１】
書込み装置６は、ＣＭＹＫの画像データを受け取ると、レーザビームを用いた電子写真プロセスを使って転写紙に受け取った画像データを印刷出力する。
【００３２】
操作表示装置７は、本デジタルカラー複合機２０とユーザとのインタフェース部分であり、ＬＣＤ装置（液晶表示装置）とスイッチ装置などから構成されている。本実施の形態では、原稿がカラーかモノクロかを自動判定できるように指定する自動カラー判定指定手段と、第１の画像処理ブロック１６によるカラー判定結果に基づいて画質モードを選択する画質モード選択手段とを構成している（図５〜図８参照）。操作表示装置７は、デジタルカラー複合機２０の各種状態や操作方法をＬＣＤに表示し、ユーザからのキースイッチ入力を検知する。本実施の形態では、ＰＣＩ−Ｅｘｐｒｅｓｓバスを介してＣＰＵ３と接続されている。
【００３３】
回線Ｉ／Ｆ装置８は、ＰＣＩ−Ｅｘｐｒｅｓｓバスと電話回線とを接続する装置である。この装置により本デジタルカラー複合機２０は、電話回線を介してファクシミリ装置１２との間で各種データのやり取りを行うことが可能になる。
【００３４】
外部Ｉ／Ｆ装置９は、ＰＣＩ−Ｅｘｐｒｅｓｓバスと外部装置を接続する装置である。この装置により本デジタルカラー複合機２０は、ＰＣ１３やＭＦＰ１４と各種データのやり取りを行うことが可能になる。本実施の形態では、その接続Ｉ／Ｆとしてネットワーク（イーサネット：登録商標）、および外部メディアＩ／Ｆ（ＳＤカードスロット等）を使用している。すなわち、本デジタルカラー複合機２０は、外部Ｉ／Ｆ装置９を介してＰＣ１３、ＭＦＰ１４、あるいはＳＤカード１５等に接続されている。
【００３５】
Ｓ．Ｂ．１０は、パーソナルコンピュータに使用されるチップセットの一つであり、Ｓｏｕｔｈ  Ｂｒｉｄｇｅと呼ばれる汎用の電子デバイスである。主に、ＰＣＩ−ＥｘｐｒｅｓｓとＩＳＡブリッジとを含むＣＰＵシステムを構築する際によく使用されるバスのブリッジ機能を汎用回路化したものであり、本実施の形態においてはＲＯＭ１１との間をブリッジしている。 
【００３６】
ＲＯＭ１１は、ＣＰＵ３がデジタルカラー複合機２０の制御を行う際の各種プログラム（含むブート）を格納するメモリである。
【００３７】
外部機器としてのＦＡＸ１２は、通常のファクシミリ装置であり、電話回線を介して本デジタルカラー複合機２０と画像データの授受を行う。
【００３８】
外部機器としてのＰＣ１３は、パーソナルコンピュータであり、このパーソナルコンピュータにインストールされたアプリケーションソフトやドライバを介して、ユーザは本デジタルカラー複合機２０に対して各種制御、画像データの入出力やその制御等を行う。
【００３９】
外部機器としてのＭＦＰ１４は、ネットワーク上に存在する他のデジタルカラー複合機である。
【００４０】
外部メディアＩ／Ｆは、画像データを含む各種電子データが記録された外部メディアとしてのコンパクトフラッシュ（登録商標）カードやＳＤカード１５等をユーザがスロットに挿入することにより、本デジタルカラー複合機２０に対して画像データの入出力を行うことができる。
【００４１】
次に、第１の実施の形態にかかるデジタルカラー複合機２０の特徴的な構成について詳述する。まず、図１および図２に示すように、画像データ処理装置２の内部は、第１の画像処理ブロック１６と第２画像処理ブロック１７で構成されている。
【００４２】
まず、第１の画像処理ブロック１６は、読取り装置１から専用Ｉ／Ｆを介してＲＧＢ（レッド、グリーン、ブルー）の画像データを受け取ると、各種画像処理を行って出力する。その時の出力先は、ＣＰＵ３の指示により、第２の画像処理ブロック１７かＣＰＵ（ＰＣＩ−Ｅｘｐｒｅｓｓのバス制御機能を含む）３の何れかに切り替えることができる。
【００４３】
第１の画像処理ブロック１６から第２の画像処理ブロック１７へ出力される場合は（図１参照）、装置内部の専用Ｉ／Ｆを介して送信され、ＣＰＵ３へ出力される場合は（図
２参照）、ＰＣＩ−Ｅｘｐｒｅｓｓバス経由でメモリ４に送信される。
【００４４】
第２の画像処理ブロック１７は、前述した装置内部の専用Ｉ／Ｆを介した第１の画像処理ブロック１６、もしくはＣＰＵ３を介してメモリ４からＲＧＢ画像データを受け取り、各種画像処理を行って出力する。第１の画像処理ブロック１６およびＣＰＵ３のどちらから画像データを受け取るかの選択は、ＣＰＵ３からの指示に従う。また、第２の画像処理ブロック１７における画像処理後の出力先については、何れもＣＰＵ３を介してメモリ４に出力される（図１および図２参照）。
【００４５】
このように、本発明の特徴は、読取り装置１で読み取った画像データに対して、画像データ処理装置２内の第１の画像処理ブロック１６および第２の画像処理ブロック１７の両方で処理した画像データをメモリ４に送出するルート（図１のルート参照）と、第１の画像処理ブロック１６で処理した画像データを一旦メモリ４に送出すると共に、メモリ４から受け取った画像データを第２の画像処理ブロック１７で処理してメモリ４に送出するルート（図２のルート参照）とをＣＰＵ３により選択可能としている。
【００４６】
また、これにより第１の画像処理ブロック１６の処理結果に応じて第２の画像処理ブロック１７で行う処理内容を切り替えることが可能になる。また、第２の画像処理ブロック１７で行う処理内容に応じて、第２の画像処理ブロック１７が受ける取る画像データを第１の画像処理ブロック１７からとするか、メモリ４からとするかを切り替えることが可能になる。
【００４７】
次に、デジタルカラー複合機（ＭＦＰ）２０の代表的な動作であるコピー動作を使い、第１の画像処理ブロック１６と第２の画像処理ブロック１７とを用いて行う画像処理について説明する。
【００４８】
〔コピー動作〕
まず、ユーザは、原稿を図１の読取り装置１にセットし、所望するコピーモードの設定とコピー開始入力とを操作表示装置７から行う。
【００４９】
操作表示装置７は、ユーザから入力された情報を機器内部の制御コマンドデータに変換して発行する。発行された制御コマンドデータは、ＰＣＩ−Ｅｘｐｒｅｓｓバスを介してＣＰＵ３に通知される。ＣＰＵ３は、コピー開始の制御コマンドデータに従って、コピー動作プロセスのプログラムを実行し、コピー動作に必要な設定や動作を順に行っていく。なお、この操作表示装置７には、原稿がカラーかモノクロかを自動判定するよう指定可能な自動カラー判定指定機能を持たせている。以下、動作プロセスを順に説明する。
【００５０】
原稿画像を画像読取り装置１でスキャンして得られたＲＧＢ各８ビットのデジタル画像データは、画像データ処理装置２に送られる。画像データ処理装置２では、第１の画像処理ブロック１６と第２の画像処理ブロック１７とにより画像処理が行われる。
【００５１】
第１の画像処理ブロック１６は、図３に示すように、シェーディング処理部３１、カラー判定処理部３２、および像域分離処理部３３などにより構成されている。
【００５２】
シェーディング処理部３１は、読取り装置１から受け取った画像データに対して走査ライン毎の照明ムラやＣＣＤ（Ｃｈａｒｇｅ  Ｃｏｕｐｌｅｄ  Ｄｅｖｉｃｅ）などの光電変換素子の画素毎の感度ムラ等に起因するバラツキを補正して次段へ出力するものである。
【００５３】
カラー判定処理部３２は、シェーディング処理部３１からシェーディング補正された画像データを受け取ると、原稿の持つカラー情報からその原稿がカラー／モノクロのどちらであるかの判定を行うものである。その判定の結果は、１頁分の読み取りが終了することによって確定する。
【００５４】
像域分離処理部３３は、シェーディング処理部３１からシェーディング補正された画像データを受け取ると、原稿の持つ特徴的なエリアの抽出を行うものである。例えば、一般的な印刷によって形成されている網点部の抽出、文字などのエッジ部の抽出、その画像データの有彩／無彩の判定、背景画像が白であるか否かの白背景の判定などがある。その判定結果は、画素毎に特徴データとして出力される。
【００５５】
従って、第１の画像処理ブロック１６からは、シェーディング処理部３１によりシェーディング補正された画像データと、像域分離処理部３３から出力される特徴データの２つが次段に出力されることになる。
【００５６】
続いて、図１に示すルートの場合、第１の画像処理ブロック１６から出力された画像データと特徴データは、第２の画像処理ブロック１７に送信される。
【００５７】
第２の画像処理ブロック１７は、図４に示すように、自動濃度調整処理部４１、フィルタ処理部４２、色補正処理部４３、変倍処理部４４、階調処理部４５、および編集処理部４６などにより構成されている。
【００５８】
自動濃度調整処理部４１は、ユーザの設定によって処理の有効／無効が切り替わるものである。処理が有効な場合は、受け取った画像データから原稿内の濃度の変動範囲を自動的に検出して、再現する濃度範囲を調整して出力する。例えば、新聞原稿のように地肌領域が濃い原稿の場合は、地肌領域を飛ばして次段に出力する。なお、この自動濃度調整処理部４１では、画像データのみを使用し、特徴データは使用しない。
【００５９】
フィルタ処理部４２は、画質を調整する役割を担い、画像データの持つ空間周波数を変換するものである。また、第１の実施の形態では、特徴データを利用して原稿の領域毎に適切なフィルタ処理を行っている。例えば、エッジ部は文字の先鋭性を向上させる目的でＭＴＦ補正処理を施し、網点部はモワレを抑止するために平滑化処理を施している。
【００６０】
色補正処理部４３は、出力先の色空間特性に合うように色変換処理を行うものである。コピー動作では、出力先である書込み装置６の仕様として、ＲＧＢデータをＣＭＹＫデータに変換する。また、本第１の実施の形態では、特徴データを利用して、原稿の有彩部は色味が鮮やかになるように調整し、無彩部は色味が落ち着くように調整している。その他、出力先が外部Ｉ／Ｆ装置９を介したＰＣ１３の場合には、汎用規格化されたsRGBに変換することもできる。
【００６１】
変倍処理部４４は、コピー動作時の指定倍率（拡大／縮小）に従って変倍処理（解像度変換処理）を行うものである。また、この変倍処理部４４では、特徴データは使用しないが、画像データに同期するように特徴データに対しても変倍処理が行われる。
【００６２】
階調処理部４５は、書込み装置６の仕様に合うような階調処理を施すものである。第１の実施の形態では、特徴データを利用して、領域毎にプリンタγおよび誤差拡散処理の手法を切り替えながら、書込み装置６に合わせて階調の深さ（ビット数）を８ｂｉｔから２ｂｉｔに変換している。
【００６３】
編集処理部４６は、ユーザによるコピー動作時の編集指定に従って、枠消去やセンター消去などの処理を、画像データに対し施すものである。
【００６４】
第２の画像処理ブロック１７は、上述した一連の処理を施すことにより、コピー出力用のＣＭＹＫ画像データを生成して出力する。そして、画像データ処理装置２から出力されるＣＭＹＫ画像データは、ＣＰＵ３を介して、メモリ４に蓄積される。
【００６５】
メモリ４に蓄積されたＣＭＹＫ画像データは、ＣＰＵ７および書込みＩ／Ｆ装置５を介して書込み装置６に送られる。書込み装置６は、受け取ったＣＭＹＫ画像データを転写紙に出力して、原稿のコピーが生成される。
【００６６】
このように、第１の実施の形態によれば、多種多様化した画像処理装置における画像処理の種類、読取り装置の読み取り速度、あるいはメモリ容量といった様々な環境に応じて画像処理に対する制約が生じてきたことに対し、画像データ処理装置２の第１の画像処理ブロック１６および第２の画像処理ブロック１７の両方で処理した画像データをメモリ４に送出するルートと、第１の画像処理ブロック１６で処理した画像データを一旦メモリ４に送出すると共に、メモリ４から受け取った画像データを第２の画像処理ブロック１７で処理してメモリ４に送出するルートをＣＰＵ３により切り替えることにより、ユーザの多種多様な機能要求に対して低コストで対応できるようになった。例えば、第１の画像処理ブロック１６での認識処理結果に応じて、第２の画像処理ブロック１７の処理内容を切り替えることにより、多種・多様なユーザの機能要求を低コストで実現することができる。また、第２の画像処理ブロック１７での変換処理の処理スピードが問題となった場合は、第２の画像処理ブロック１７がメモリ４をバッファとして利用することにより可能となり、多種・多様な機能要求を低コストで達成することができる。
【００６７】
（第２の実施の形態）
第２の実施の形態の特徴は、デジタルカラー複合機２０において、自動カラー判定機能を指定した場合に、第１の画像処理ブロック１６のカラー判定処理部３２でのカラー判定結果に基づいて、第２の画像処理ブロック１７における色補正処理部４３の処理を切り替える点にある。以下、コピー動作を行う場合で説明する。
【００６８】
図５は、図１および図２の操作表示装置の構成を示すブロック図である。操作表示装置７は、ユーザとのインタフェースを行う装置であり、デジタルカラー複合機２０の様々な状態や操作方法を促す表示を行うＬＣＤ（液晶表示）装置７１と、ユーザからの入力を検知するスイッチ装置７２と、それらを制御する操作表示制御装置７３などにより構成されている。
【００６９】
ＬＣＤ装置７１は、ＬＣＤデバイスを駆動してＬＣＤ表面に組み込まれたタッチパネルからの入力も検知可能なモジュール装置である。スイッチ装置７２は、操作表示装置７上に設けられたスイッチ群とその駆動回路から成る。操作表示制御装置７３は、ＣＰＵ３とＰＣＩ−Ｅｘｐｒｅｓｓバスを介して各種データをやり取りするとともに、ＬＣＤ装置７１とスイッチ装置７２とを制御する。すなわち、ＬＣＤ装置７１のタッチパネルや、スイッチ装置７２からの入力を検出すると、それぞれ意味的に割り当てられた制御コードに変換してＣＰＵ３に通知する。また、ＣＰＵ３からの制御コードで送られてくる各種指示を解釈して、それらの指示に従った表示をＬＣＤ装置７１に対して行い、ユーザに伝える。
【００７０】
図６は、第２の実施の形態においてカラー自動判定を行う場合の操作表示装置の表示例を示す図である。まず、ユーザは、図２の読取り装置１に原稿をセットし、図６の操作表示装置７上で、カラーモード選択画面の自動ボタン７１３を選択すると共に、コピーボタン７２１を選択して、スタートボタン７２５を押下する。
【００７１】
操作表示装置７は、ユーザから入力された情報を、機器内部の制御コマンドデータに変換し発行する。発行された制御コマンドデータは、ＰＣＩ−Ｅｘｐｒｅｓｓバスを介してＣＰＵ３に通知される。ＣＰＵ３は、コピー開始の制御コマンドデータに従って、コピー動作プロセスのプログラムを実行し、コピー動作に必要な設定や動作を順に行っていく。また、ＣＰＵ３は、デジタルカラー複合機２０の画像データ処理装置２に対して、画像データのパスが図２のように構成されるよう設定する。
【００７２】
続いて、上記第１の実施の形態と同様に順次動作を行い、原稿１ページ分の読み取りが終了した時点で、メモリ４に原稿１ページ分の画像データと特徴データとを蓄積する。
【００７３】
ここで、ＣＰＵ３は、第１の画像処理ブロック１６のカラー判定処理部３２の結果を確認し、そのカラー判定処理部３２の結果によって、第２の画像処理ブロック１７における色補正処理部４３の設定を切り替えるようにする。すなわち、原稿がカラーであると判定された場合は、ＲＧＢ→ＣＭＹＫ変換を行い、原稿がモノクロと判定された場合は、ＲＧＢ→Ｋ変換を行うようにする。
【００７４】
その後、メモリ４内の画像データと特徴データは、第２の画像処理ブロック１７を経由して、第１の実施の形態と同様に、書込みＩ／Ｆ装置５→書込み装置６に出力され、原稿のコピーが生成される。
【００７５】
このように、第２の実施の形態によれば、第１の画像処理ブロック１６がカラー判定処理部３２を備え、第２の画像処理ブロック１７が色補正処理部４３を備えていて、操作表示装置７の自動カラー判定機能が指定されると、第１の画像処理ブロック１６でのみ処理された画像データをメモリ４に送出すると共に、第２の画像処理ブロック１７の色補正処理部４３が第１の画像処理ブロック１６のカラー判定結果に基づいて、メモリ４から受け取った画像データに対する色補正処理の処理内容を切替えるようにしたため（カラー判定処理結果により、カラー原稿の場合はカラーで出力し、モノクロ原稿の場合はモノクロで出力する）、１つのデジタルカラー複合機２０を使って、低コストで多種・多様なユーザの機能要求に対して対応することができる。
【００７６】
（第３の実施の形態）
第３の実施の形態の特徴は、デジタルカラー複合機２０において、自動カラー判定機能を指定した場合に、第１の画像処理ブロック１６のカラー判定処理部３２でのカラー判定結果に基づいて、第２の画像処理ブロック１７における変倍処理部４４の処理を切り替える点にある。
【００７７】
図７は、第３の実施の形態においてカラー自動判定を行う場合の操作表示装置の表示例を示す図である。まず、ユーザは、図２の読取り装置１に原稿をセットし、図７の操作表示装置７上で、スキャナ送信時における解像度設定を、カラーボタン７１１あるいはモノクロボタン７１２を使って別々に設定を行うことができる。ＣＰＵ３は、これらのユーザからの設定に従って、カラー時とモノクロ時のそれぞれのスキャナ送信時における解像度設定を記憶する。
【００７８】
続いて、ユーザは、原稿を読取り装置１にセットし、操作表示装置７上で、カラーモード選択画面の自動ボタン（図６参照）を選択し、また、スキャナボタン７２３を選択して、スタートボタン７２５を押下する。
【００７９】
その後は、上記第２の実施の形態と同様に、第１の画像処理ブロック１６を経由した画像データと特徴データとをメモリ４に蓄積する。
【００８０】
次に、ＣＰＵ３は、第１の画像処理ブロック１６のカラー判定処理部３２の判定結果によって、第２の画像処理ブロック１７の変倍処理部４４の設定を切り替える。すなわち、原稿がカラーと判定された場合はカラー用に指定された解像度に設定し、モノクロと判定された場合は、モノクロ用に指定された解像度に設定する。
【００８１】
その後、メモリ４内の画像データと特徴データは、第２の画像処理ブロック１７を経由して、上記第１の実施の形態と同様に、外部Ｉ／Ｆ装置９を介してＰＣ１３に出力され、原稿のスキャナ送信を達成することができる。
【００８２】
このように、第３の実施の形態によれば、第１の画像処理ブロック１６がカラー判定処理部３２を備え、第２の画像処理ブロック１７が変倍処理部４４を備え、操作表示装置７の自動カラー判定機能を指定すると、第１の画像処理ブロック１６でのみ処理された画像データをメモリ４に送出すると共に、第２の画像処理ブロック１７の変倍処理が第１の画像処理ブロック１６カラー判定結果に基づいて、メモリ４から受け取った画像データに対する処理を切替える（カラー判定処理結果により、カラー原稿の場合はデータ量が多くなるため解像度を小さくして送信し、モノクロ原稿の場合は解像度を大きくして送信する等）。これにより、１つのデジタルカラー複合機２０を使い、低コストで、多種・多様なユーザの機能要求に対応することができる。
【００８３】
（第４の実施の形態）
第４の実施の形態の特徴は、デジタルカラー複合機２０において、自動カラー判定機能を指定した場合に、第１の画像処理ブロック１６のカラー判定処理部３２でのカラー判定結果に基づいて、第２の画像処理ブロック１７における自動濃度調整処理部４１の設定をカラーとモノクロで各々に設定を行う点にある。
【００８４】
図８は、第４の実施の形態においてカラー自動判定を行う場合の操作表示装置の表示例を示す図である。ＣＰＵ３は、ユーザからの設定に従って、カラー時とモノクロ時のそれぞれの自動濃度調整の設定を記憶する。
【００８５】
続いて、ユーザは、原稿を読取り装置１にセットし、操作表示装置７上で、カラーモード選択画面の自動ボタン（図６参照）を選択し、また、コピーボタン７２１を選択して、スタートボタン７２５を押下する。
【００８６】
その後は、上記第２の実施の形態と同様に、第１の画像処理ブロック１６を経由した画像データと特徴データとをメモリ４に蓄積する。
【００８７】
次に、ＣＰＵ３は、第１の画像処理ブロック１６のカラー判定処理部３２の判定結果によって、第２の画像処理ブロック１７の自動濃度調整処理部４１の設定を切り替える。すなわち、原稿がカラーと判定された場合は、カラー用に指定された設定とし、モノクロと判定された場合は、モノクロ用に指定された設定とする。
【００８８】
その後、メモリ４内の画像データと特徴データは、第２の画像処理ブロック１７を経由して、上記第１の実施の形態と同様に、書込みＩ／Ｆ装置５を介して書込み装置６に出力され、原稿のコピーが生成される。
【００８９】
このように、第４の実施の形態によれば、第１の画像処理ブロック１６がカラー判定処理部３２を備え、第２の画像処理ブロック１７が自動濃度調整処理部４１を備え、操作表示装置７の自動カラー判定機能を指定すると、第１の画像処理ブロック１６でのみ処理された画像データをメモリ４に送出すると共に、第２の画像処理ブロック１７の自動濃度調整処理が第１の画像処理ブロック１６のカラー判定結果に基づいて、メモリ４から受け取った画像データに対する処理を切替える（カラー判定処理結果により、カラー原稿の場合は自動濃度処理をＯＦＦすることによって、薄い色地部など原稿忠実に色再現を行いながら出力し、モノクロ原稿の場合は自動濃度処理をＯＮすることにより、新聞原稿の再現時の地肌汚れを回避する等）。これにより、１つのデジタルカラー複合機２０を使い、低コストで、多種・多様なユーザの機能要求に対応することができる。
【００９０】
（第５の実施の形態）
第５の実施の形態の特徴は、デジタルカラー複合機２０において、自動カラー判定機能を指定した場合に、第１の画像処理ブロック１６のカラー判定処理部３２でのカラー判定結果に基づいて、第２の画像処理ブロック１７におけるフィルタ処理部４２の設定を切り替える点にある。
【００９１】
まず、ユーザは原稿を読取り装置１にセットし、図６に示す操作表示装置７上で、カラーモード選択画面の自動ボタン７１３を選択し、コピーボタン７２１を選択して、スタートボタン７２５を押下する。
【００９２】
続いて、上記第２の実施の形態と同様に第１の画像処理ブロック１６を経由した画像データと特徴データとがメモリ４に蓄積される。
【００９３】
ここで、ＣＰＵ３は、第１の画像処理ブロック１６のカラー判定処理部３２の結果を確認し、そのカラー判定処理部３２の結果によって、第２の画像処理ブロック１７におけるフィルタ処理部４２の設定を切り替えるようにする。すなわち、原稿がカラーであると判定された場合は、原稿上の網点領域のモワレを考慮してＭＴＦ補正フィルタ処理の設定を弱くし、モノクロと判定された場合は、逆にその懸念が少ないため、ＭＴＦ補正フィルタ処理の設定を強くするようにする。
【００９４】
その後、メモリ４内の画像データと特徴データは、第２の画像処理ブロック１７を経由して、第１の実施の形態と同様に書込みＩ／Ｆ装置５→書込み装置６に出力され、原稿のコピーが生成される。
【００９５】
このように、第５の実施の形態によれば、第１の画像処理ブロック１６がカラー判定処理部３２を備え、第２の画像処理ブロック１７がフィルタ処理部４２を備え、操作表示装置７の自動カラー判定機能が指定されると、第１の画像処理ブロック１６でのみ処理された画像データをメモリ４に送出すると共に、第２の画像処理ブロック１７のフィルタ処理部４２が第１の画像処理ブロック１６のカラー判定結果に基づいて、メモリ４から受け取った画像データに対する処理を切替えるようにしたため（カラー判定処理結果により、カラー原稿の場合は絵柄が含まれることを考慮してフィルタによる鮮鋭化処理を弱く処理し、モノクロ原稿の場合は文字が多いことを考慮してフィルタによる鮮鋭化処理を強く処理する等）、１つの画像データ処理装置すなわち低コストで、多種・多様なユーザの機能要求に対応することができる。
【００９６】
（第６の実施の形態）
第６の実施の形態の特徴は、デジタルカラー複合機２０において、自動カラー判定機能を指定した場合に、第１の画像処理ブロック１６のカラー判定処理部３２でのカラー判定結果に基づいて、第２の画像処理ブロック１７における階調処理部４５の設定を切り替える点にある。
【００９７】
まず、ユーザは原稿を読取り装置１にセットし、図６に示す操作表示装置７上で、カラーモード選択画面の自動ボタン７１３を選択し、コピーボタン７２１を選択して、スタートボタン７２５を押下する。
【００９８】
続いて、上記第２の実施の形態と同様に第１の画像処理ブロック１６を経由した画像データと特徴データとがメモリ４に蓄積される。
【００９９】
ここで、ＣＰＵ３は、第１の画像処理ブロック１６のカラー判定処理部３２の結果を確認し、そのカラー判定処理部３２の結果によって、第２の画像処理ブロック１７における階調処理部４５の設定を切り替えるようにする。すなわち、原稿がカラーと判定された場合は、原稿の絵柄領域を考慮して、プリンタγの立ち上がりを滑らかに設定し、モノクロと判定された場合は、原稿の絵柄領域よりも文字を鮮鋭に出すことを考慮してプリンタγの立ち上がりを急峻に設定する。
【０１００】
その後、メモリ４内の画像データと特徴データは、第２の画像処理ブロック１７を経由して、第１の実施の形態と同様に書込みＩ／Ｆ装置５→書込み装置６に出力され、原稿のコピーが生成される。
【０１０１】
このように、第６の実施の形態によれば、第１の画像処理ブロック１６がカラー判定処理部３２を備え、第２の画像処理ブロック１７が階調処理部４５を備え、操作表示装置７の自動カラー判定機能が指定されると、第１の画像処理ブロック１６でのみ処理された画像データをメモリ４に送出すると共に、第２の画像処理ブロック１７の階調処理部４５が第１の画像処理ブロック１６のカラー判定結果に基づいて、メモリ４から受け取った画像データに対する処理を切替えるようにしたため（カラー判定処理結果により、カラー原稿の場合は絵柄が含まれることを考慮して階調数を多くして処理し、モノクロ原稿の場合は文字が多いことを考慮して階調数を小さくして処理する等）、１つの画像データ処理装置すなわち低コストで、多種・多様なユーザの機能要求に対応することができる。
【０１０２】
（第７の実施の形態）
第７の実施の形態の特徴は、デジタルカラー複合機２０において、自動カラー判定機能を指定した場合に、第１の画像処理ブロック１６のカラー判定処理部３２でのカラー判定結果に基づいて、図９に示すような画質モード選択画面の設定をカラーとモノクロで各々に設定を行う点にある。
【０１０３】
図９は、第７の実施の形態においてカラー自動判定を行う場合の操作表示装置の表示例を示す図である。ＣＰＵ３は、ユーザからの設定に従って、カラー時とモノクロ時のそれぞれの画質モードの設定を記憶する。
【０１０４】
続いて、ユーザは、原稿を読取り装置１にセットし、操作表示装置７上で、カラーモード選択画面の自動ボタン７１３（図６参照）を選択し、また、コピーボタン７２１を選択して、スタートボタン７２５を押下する。
【０１０５】
その後は、上記第２の実施の形態と同様に、第１の画像処理ブロック１６を経由した画像データと特徴データとをメモリ４に蓄積する。
【０１０６】
次に、ＣＰＵ３は、第１の画像処理ブロック１６のカラー判定処理部３２の判定結果によって、第２の画像処理ブロック１７の画質に関する処理ブロック（フィルタ処理部４２、色補正処理部４３、階調処理部４５）の設定を切り替える。具体的には、画質モードの設定（文字、写真、文字/写真）に従って、文字、写真、文字/写真の特徴に特化した画質パラメータのセットを設定する。例えば、フィルタ処理であればマトリクス係数や形状のパラメータ、色補正あれば彩度の調整パラメータ、あるいは、階調処理であればプリンタγのカーブパラメータや誤差拡散のマトリクスパラメータなどである。すなわち、原稿がカラーと判定した場合は、カラー用に指定された画質モードのパラメータを設定し、モノクロと判定された場合は、モノクロ用に指定された画質モードのパラメータを設定する。
【０１０７】
その後、メモリ４内の画像データと特徴データは、第２の画像処理ブロック１７を経由して、上記第１の実施の形態と同様に、書込みＩ／Ｆ装置５→書込み装置６に出力され、原稿のコピーが生成される。
【０１０８】
このように、第７の実施の形態によれば、第１の画像処理ブロック１６のカラー判定処理部３２のカラー判定結果に基づいて、各々指定可能な画質モード選択手段を操作表示装置７に備えている（図９参照）。そして、操作表示装置７の自動カラー判定機能を指定すると、第１の画像処理ブロック１６でのみ処理された画像データをメモリ４に送出すると共に、第２の画像処理ブロック１７におけるフィルタ処理部４２、色補正処理部４３、階調処理部４５の各設定を切り替える（カラー判定処理結果により、カラー原稿の場合は絵柄が含まれることを考慮して、文字・写真モードで処理ブロック２内の画質パラメータを処理し、モノクロ原稿の場合は文字が多いことを考慮して文字モードで処理ブロック２内の画質パラメータを処理する等）。これにより、１つのデジタルカラー複合機２０を使い、低コストで、多種・多様なユーザの機能要求に対応することができる。
【０１０９】
なお、上記各実施の形態にかかる画像処理装置で実行されるプログラムは、図１および図２に示すＲＯＭ１１等に予め組み込まれて提供される。
【０１１０】
本実施の形態にかかる画像処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１１】
さらに、本実施の形態にかかる画像処理装置で実行されるプログラムを、インターネット等のネットワークに接続されたコンピュータ上に格納し、ネットワーク経由でダウンロードさせることにより提供するように構成しても良い。また、本実施の形態にかかる画像処理装置で実行されるプログラムをインターネット等のネットワーク経由で提供または配布するように構成しても良い。
【０１１２】
本実施の形態にかかる画像処理装置で実行されるプログラムは、上述した各部（画像読取り手段、記憶手段、画像データ処理手段、自動カラー判定指定手段、制御手段、第１の画像処理ブロック、第２の画像処理ブロック、カラー判定処理手段、色補正処理手段、変倍処理手段、自動濃度調整処理手段、フィルタ処理手段、階調処理手段、画質モード選択手段等）を含むモジュール構成となっており、実際のハードウェアとしてはＣＰＵ（プロセッサ）３が上記ＲＯＭ１１からのプログラムを読み出して実行することにより上記各部が主記憶装置上にロードされ、画像読取り手段、記憶手段、画像データ処理手段、自動カラー判定指定手段、制御手段、第１の画像処理ブロック、第２の画像処理ブロック、カラー判定処理手段、色補正処理手段、変倍処理手段、自動濃度調整処理手段、フィルタ処理手段、階調処理手段、画質モード選択手段等が主記憶装置上に生成されるようになっている。
【図面の簡単な説明】
【０１１３】
【図１】第１の実施の形態にかかるデジタルカラー複合機のシステム構成を示すブロック図である。
【図２】第１の実施の形態にかかるデジタルカラー複合機のシステム構成を示すブロック図である。
【図３】図１および図２の第１の画像処理ブロックの一構成例を示すブロック図である。
【図４】図１および図２の第２の画像処理ブロックの一構成例を示すブロック図である。
【図５】図１および図２の操作表示装置の構成を示すブロック図である。
【図６】第２の実施の形態においてカラー自動判定を行う場合の操作表示装置の表示例を示す図である。
【図７】第３の実施の形態においてカラー自動判定を行う場合の操作表示装置の表示例を示す図である。
【図８】第４の実施の形態においてカラー自動判定を行う場合の操作表示装置の表示例を示す図である。
【図９】第７の実施の形態においてカラー自動判定を行う場合の操作表示装置の表示例を示す図である。
【符号の説明】
【０１１４】
１  読取り装置
２  画像データ処理装置
３  ＣＰＵ
４  メモリ
５  書込みＩ／Ｆ装置
６  書込み装置
７  操作表示装置
８  回線Ｉ／Ｆ装置
９  外部Ｉ／Ｆ装置
１０  Ｓ．Ｂ．
１１  ＲＯＭ
１２  ファクシミリ装置（ＦＡＸ）
１３  パーソナルコンピュータ（ＰＣ）
１４  デジタルカラー複合機（ＭＦＰ）
１５  ＳＤカード
１６  第１の画像処理ブロック
１７  第２の画像処理ブロック
２０  デジタルカラー複合機
３１  シェーディング処理部
３２  カラー判定処理部
３３  像域分離処理部
４１  自動濃度調整処理部
４２  フィルタ処理部
４３  色補正処理部
４４  変倍処理部
４５  階調処理部
４６  編集処理部
【図１】
2009225269.tif 000003
【図２】
2009225269.tif 000004
【図３】
2009225269.tif 000005
【図４】
2009225269.tif 000006
【図５】
2009225269.tif 000007
【図６】
2009225269.tif 000008
【図７】
2009225269.tif 000009
【図８】
2009225269.tif 000010
【図９】
2009225269.tif 000011